(57)【要約】【課題】所定領域を指示部が往復移動して時間情報を表示するとともに、指示部の移動方向を容易かつ正しく判別することができる表示機構、時計用ムーブメントおよび時計を提供する。【解決手段】表示機構５は、表示部２０と、指示部６がレトログラード表示領域２１の一端２２から他端２３へ、またはレトログラード表示領域２１の他端２３から一端２２へ向かう際の、指示部６の移動方向の情報を示す方向表示部３０と、方向表示部３０に表示され、指示部６がレトログラード表示領域２１の一端２２から他端２３へ向かうときの情報を示す第一マーク３１と、方向表示部３０に表示され、指示部６がレトログラード表示領域２１の他端２３から一端２２へ向かうときの情報を示す第二マーク３２と、指示部６の移動方向の切り替わりに対応して、第一マーク３１と第二マーク３２とを切り替える切替機構５０と、を備えたことを特徴としている。【選択図】図４
2015152365.tif 000002
【特許請求の範囲】
【請求項１】
所定領域を指示部が往復移動して時間情報を表示する表示部と、
前記指示部が、前記所定領域の一端から他端へ、または前記所定領域の他端から一端へ向かう際の、前記指示部の移動方向の情報を示す方向表示部と、
前記方向表示部に表示され、前記指示部が前記所定領域の一端から他端へ向かうときの情報を示す第一マークと、
前記方向表示部に表示され、前記指示部が前記所定領域の他端から一端へ向かうときの情報を示す第二マークと、
前記指示部の移動方向の切り替わりに対応して、前記第一マークと前記第二マークとを切り替える切替機構と、
を備えたことを特徴とする表示機構。
【請求項２】
請求項１に記載の表示機構であって、
前記切替機構は、
第一軸周りに１２時間に一回転する表示中間車と、
前記表示中間車と同軸に設けられ、前記表示中間車に対して回転可能に積層された表示作動カムと、
前記表示作動カムとともに前記第一軸周りに回転する表示作動爪部と、
前記表示作動爪部と係合可能な歯部と、前記第一マークと前記第二マークとが記載された円板部とを有し、第二軸周りに回転可能な方向表示車と、
前記表示作動カムを押圧し、前記表示作動カムおよび前記表示作動爪部を前記第一軸周りに回転させる表示作動レバーと、
前記方向表示車の歯部に係合され、前記方向表示車の回転角度を所定角度に規制する表示ジャンパと、
を備え、
前記表示作動レバーにより前記表示作動カムが押圧されて、前記表示作動カムおよび前記表示作動爪部が前記表示中間車に対して回転することにより、前記方向表示車が前記所定角度だけ回転することを特徴とする表示機構。
【請求項３】
請求項２に記載の表示機構であって、
前記表示作動爪部は、前記表示中間車および前記表示作動カムと同軸に設けられた表示作動爪車に形成されていることを特徴とする表示機構。
【請求項４】
請求項１から３のいずれか１項に記載の表示機構であって、
前記指示部は、前記所定領域の往路および復路をそれぞれ１２時間で移動するように構成されていることを特徴とする表示機構。
【請求項５】
請求項１から４のいずれか１項に記載の表示機構であって、
前記第一マークおよび前記第二マークは、前記移動方向を指向する矢印であることを特徴とする表示機構。
【請求項６】
請求項１から４のいずれか１項に記載の表示機構であって、
前記第一マークは、午前を示す文字であり、前記第二マークは、午後を示す文字であることを特徴とする表示機構。
【請求項７】
請求項１から４のいずれか１項に記載の表示機構であって、
前記表示部には、前記指示部が往復移動する際に指示する前記時間情報を示す文字が複数記載され、
複数の前記文字のうち、前記指示部が往路で指示する第一文字群には、第一色が着色され、
前記複数の文字のうち、前記指示部が復路で指示する第二文字群には、第一色とは異なる第二色が着色され、
前記第一マークは、第一色に着色され、前記第二マークは、第二色に着色されていることを特徴とする表示機構。
【請求項８】
請求項１から７のいずれか１項に記載の表示機構を備えたことを特徴とする時計用ムーブメント。
【請求項９】
請求項８に記載の時計用ムーブメントを備えたことを特徴とする時計。
【発明の詳細な説明】
【技術分野】
【０００１】
この発明は、表示機構、時計用ムーブメントおよび時計に関するものである。
【背景技術】
【０００２】
従来から、曜日等を扇形状の目盛りで表示するとともに、この目盛りを指す指針（指示部）が扇形状の中心軸周りに一方側から他方側へ向かって運針後、瞬時に他方側から一方側へ戻る運針を繰り返す、いわゆるレトログラード表示機構を備えた機械式時計が知られている（例えば、特許文献１参照）。
このような表示機構において曜日を表示させる場合を例に説明する。
扇形の表示領域の一端部（他方側）から順に終端部（一方側）までには、曜日である月、火、水・・・日が表示されており、運針は、時間経過とともに現在の曜日を指し示す（すなわち、月から日まで指し示す）。そして、月曜日を迎えると、運針は、表示領域に表示された日から月まで瞬間的に戻るようになっている。
【０００３】
特許文献１に記載の表示機構は、筒車によって駆動される曜中間車と、この曜中間車を介して回転するカムと、カムに当接された状態でばねにより付勢される回動可能なレバーと、このレバーに設けられた歯車部に連動し、かつ、曜針を取り付け可能な小曜車とを備えている。特許文献１に記載の発明によれば、レバーがカムの回転中心から離れる方向に回動するのにともない、レバーに対するばねの付勢力が蓄積され、この蓄積された付勢力がカムの周期終了時に解放されることによって、曜針を瞬間的に復帰（帰零）させることができるとされている。
【先行技術文献】
【特許文献】
【０００４】
【特許文献１】特開２００６−２２６９９０号公報
【発明の概要】
【発明が解決しようとする課題】
【０００５】
このような従来技術の表示機構では、扇形の表示領域の一端部から他端部へ運針が移動した後、瞬間的に一端部へ戻るようになっている。
したがって、運針が他端部へ移動した後に一端部へ戻る際に、時間経過に応じて運針を移動させることはできなかった。換言すれば、運針が、表示領域を往復移動（一端部から他端部へ移動し、更に一端部に戻る移動）しながら、時間経過に応じた所定の情報を表示することができなかった。さらに、移動領域の一端と他端との間を指示部が往復移動するとき、使用者は、指示部の移動方向を判別できないという問題もある。
【０００６】
そこで、本発明は、上記事情に鑑みたものであって、所定領域を指示部が往復移動して時間情報を表示するとともに、指示部の移動方向を容易かつ正しく判別することができる表示機構、時計用ムーブメントおよび時計の提供を課題とする。
【課題を解決するための手段】
【０００７】
上記の課題を解決するため、本発明の表示機構は、所定領域を指示部が往復移動して時間情報を表示する表示部と、前記指示部が、前記所定領域の一端から他端へ、または前記所定領域の他端から一端へ向かう際の、前記指示部の移動方向の情報を示す方向表示部と、前記方向表示部に表示され、前記指示部が前記所定領域の一端から他端へ向かうときの情報を示す第一マークと、前記方向表示部に表示され、前記指示部が前記所定領域の他端から一端へ向かうときの情報を示す第二マークと、前記指示部の移動方向の切り替わりに対応して、前記第一マークと前記第二マークとを切り替える切替機構と、を備えたことを特徴としている。
【０００８】
本発明によれば、連続的に指示部を往復移動させることができるので、時間情報の表示の多様化に対応できる。また、指示部の移動方向の情報を示す方向表示部を備えているので、所定領域の一端と他端との間を指示部が往復移動している場合であっても、指示部の移動方向を容易に判別することができる。さらに、指示部の移動方向の切り替わりに対応して、第一マークと第二マークとを切り替える切替機構を備えているので、指示部の移動方向を正しく判別することができる。
【０００９】
また、前記切替機構は、第一軸周りに１２時間に一回転する表示中間車と、前記表示中間車と同軸に設けられ、前記表示中間車に対して回転可能に積層された表示作動カムと、前記表示作動カムとともに前記第一軸周りに回転する表示作動爪部と、前記表示作動爪部と係合可能な歯部と、前記第一マークと前記第二マークとが記載された円板部とを有し、第二軸周りに回転可能な方向表示車と、前記表示作動カムを押圧し、前記表示作動カムおよび前記表示作動爪部を前記第一軸周りに回転させる表示作動レバーと、前記方向表示車の歯部に係合され、前記方向表示車の回転角度を所定角度に規制する表示ジャンパと、を備え、前記表示作動レバーにより前記表示作動カムが押圧されて、前記表示作動カムおよび前記表示作動爪部が前記表示中間車に対して回転することにより、前記方向表示車が前記所定角度だけ回転することを特徴としている。
【００１０】
本発明によれば、表示中間車と、表示作動カムと、表示作動爪部と、方向表示車と、表示作動レバーと、表示ジャンパと、による簡単な構成で、指示部の移動方向を容易かつ正しく方向表示部に表示できる。したがって、小型かつ低コストな表示機構を提供できる。また、表示作動レバーにより表示作動カムが押圧されて、表示作動カムおよび表示作動爪部が表示中間車に対して回転することにより、方向表示車が所定角度だけ回転するので、指示部の移動方向の切り替わりに対応して、指示部の移動方向を正しく表示できる。
【００１１】
また、前記表示作動爪部は、前記表示中間車および前記表示作動カムと同軸に設けられた表示作動爪車に形成されていることを特徴としている。
【００１２】
本発明によれば、表示作動爪部は、表示中間車および表示作動カムと同軸に設けられた表示作動爪車に形成されているので、表示中間車、表示作動カムおよび表示作動爪部を有する表示作動爪車をそれぞれ別部品として形成できる。したがって、簡単かつ低コストに表示中間車、表示作動カムおよび表示作動爪車を形成できる。
【００１３】
また、前記指示部は、前記所定領域の往路および復路をそれぞれ１２時間で移動するように構成されていることを特徴としている。
【００１４】
本発明によれば、往路および復路のいずれか一方で１２時から２４時の情報を表示し、往路および復路のいずれか他方で１２時から２４時の時の情報を表示する表示機構とすることができる。
【００１５】
また、前記第一マークおよび前記第二マークは、前記移動方向を指向する矢印であることを特徴としている。
【００１６】
本発明によれば、一目で指示部の移動方向を判別することができる。
【００１７】
また、前記第一マークは、午前を示す文字であり、前記第二マークは、午後を示す文字であることを特徴としている。
【００１８】
本発明によれば、一目で午前であるか午後であるかを把握できるとともに、指示部の移動方向を判別することができる。
【００１９】
また、前記表示部には、前記指示部が往復移動する際に指示する前記時間情報を示す文字が複数記載され、複数の前記文字のうち、前記指示部が往路で指示する第一文字群には、第一色が着色され、前記複数の文字のうち、前記指示部が復路で指示する第二文字群には、第一色とは異なる第二色が着色され、前記第一マークは、第一色に着色され、前記第二マークは、第二色に着色されていることを特徴としている。
【００２０】
本発明によれば、一目で指示部の移動方向を判別することができるとともに、意匠性に優れた表示部とすることができる。
【００２１】
また、本発明の時計用ムーブメントは、上述の表示機構を備えたことを特徴とする。
また、本発明の時計は、上述の時計用ムーブメントを備えたことを特徴とする。
【００２２】
本発明によれば、連続的に指示部を往復移動できるとともに、指示部の移動方向を容易に判別することができる上述の表示機構を備えているので、意匠性に優れた時計用ムーブメントおよび時計を提供できる。
【発明の効果】
【００２３】
本発明によれば、連続的に指示部を往復移動させることができるので、時間情報の表示の多様化に対応できる。また、指示部の移動方向の情報を示す方向表示部を備えているので、所定領域の一端と他端との間を指示部が往復移動している場合であっても、指示部の移動方向を容易に判別することができる。
【図面の簡単な説明】
【００２４】
【図１】第一実施形態に係る時計の外観図である。
【図２】第一実施形態に係る時計の外観図である。
【図３】図１のＡ−Ａ線に沿った断面図である。
【図４】指示部がレトログラード表示領域の一端から他端へ向かって移動を開始したときの表示機構の説明図である。
【図５】指示部がレトログラード表示領域の一端から他端へ向かって移動し、他端に到達したときの表示機構の説明図である。
【図６】指示部がレトログラード表示領域の他端から一端へ向かって移動を開始したときの表示機構の説明図である。
【図７】指示部がレトログラード表示領域の他端から一端へ向かって移動し、一端に到達したときの表示機構の説明図である。
【図８】図１のＢ−Ｂ線に沿った断面図である。
【図９】切替機構の拡大図である。
【図１０】切替機構の動作説明図である。
【図１１】切替機構の動作説明図である。
【図１２】切替機構の動作説明図である。
【図１３】切替機構の動作説明図である。
【図１４】第一実施形態の第一変形例に係る時計の説明図である。
【図１５】第一実施形態の第二変形例に係る時計の説明図である。
【図１６】第二実施形態に係る時計の説明図である。
【図１７】第二実施形態に係る時計の表示機構の説明図である。
【図１８】他の実施形態に係る時計の表示機構の説明図である。
【図１９】他の実施形態に係る時計の表示機構の説明図である。
【発明を実施するための形態】
【００２５】
以下に、この発明の実施形態について、図面を用いて説明する。
以下では、第一実施形態に係る機械式の腕時計（請求項の「時計」に相当。）およびこの腕時計に組み込まれたムーブメント（請求項の「時計用ムーブメント」に相当。）について説明したあと、第一実施形態に係る表示機構の詳細について説明する。
【００２６】
（第一実施形態、時計）
一般に、時計の駆動部分を含む機械体を「ムーブメント」と称する。このムーブメントに文字板および針を取り付けて、時計ケースの中に入れて完成品にした状態を時計の「コンプリート」と称する。時計の基板を構成する地板の両側のうち、時計ケースのガラスのある方の側、すなわち文字板のある方の側をムーブメントの「裏側」と称する。また、地板の両側のうち、時計ケースのケース裏蓋のある方の側、すなわち文字板と反対の側をムーブメントの「表側」と称する。
【００２７】
図１および図２は、第一実施形態に係る時計１の外観図である。
図３は、図１におけるＡ−Ａ線に沿った断面図である。なお、図３においては、下側がムーブメント１０の表側となっており、上側がムーブメント１０の裏側となっている。
図１および図２に示すように、本実施形態の時計１のコンプリートには、ケース本体３ａ、不図示の裏蓋、およびカバーガラス３ｂを備えた時計ケース３内に、ムーブメント１０と、時刻に関する情報を示す目盛り２ａを有する文字板２と、時を示す時針４ａ、分を示す分針４ｂおよび秒を示す秒針４ｃを含む針４と、が設けられている。
文字板２には、時針４ａ、分針４ｂおよび秒針４ｃの回転中心である時計１の中心軸Ｏよりも平面視で目盛り２ａの６時側に、０時から２４時の時の情報の表示について表示するレトログラード表示領域２１（請求項の「所定領域」に相当。）が設けられている。なお、図１および図２においては、レトログラード表示領域２１を二点鎖線で図示している。
【００２８】
さらに、本実施形態の時計１のコンプリートには、レトログラード表示領域２１を指示部６が連続的に往復移動して２４時間の時の情報を表示する表示部２０と、レトログラード表示領域２１において指示部６を往復移動させる運針機構４０と、指示部６の移動方向の情報を示す方向表示部３０と、方向表示部３０の表示を切り替える切替機構５０と、を備えた表示機構５が設けられている。表示機構５については、後に詳述する。
なお、本発明において、「連続的な往復移動」の一例としては、例えば、運針（指示部６）が、表示領域（表示部２０）を往復移動（表示領域の一端２２から他端２３へ移動し、更に一端２２に戻る移動）しながら、時間経過に応じた所定の情報を表示することを含むものとする。
【００２９】
図３に示すように、ムーブメント１０は、ムーブメント１０の基板を構成する地板１２を有している。この地板１２の表側の面には、てんぷ、がんぎ車、アンクル等を含む図示しない脱進・調速機構と、四番車、三番車、二番車および香箱車を含む図示しない表輪列と、が少なくとも配置されている。
【００３０】
地板１２の裏側には、分車１７および筒車１８を含む裏輪列と、運針機構４０と、切替機構５０（図１参照）とが少なくとも配置されている。裏輪列、運針機構４０および切替機構５０は、地板１２と、地板１２よりも裏側に設けられた表示受１４との間に配置されている。
表示受１４の裏側には、文字板２が配置されている。
図１に示すように、文字板２には、開口部１５が形成されている。開口部１５は、平面視で目盛り２ａの４時の近傍に設けられている。
【００３１】
地板１２の図示しない巻真案内穴には、巻真８が回転可能に組み込まれている。この巻真８は、例えば、日付の修正や、時刻表示（時および分の表示）を修正する際に用いられる時計部品である。巻真８の一端部には、時計ケース３の側方に位置するりゅうず７が取付けられている。
巻真８は、巻真案内穴によって回転可能に支持されているとともに、巻真８の延在方向に例えば２段階に引き出し操作可能とされている。この際、巻真８は、地板１２の表側に配置された、おしどり、かんぬきやかんぬきばね等により、延在方向の位置が決められている。
【００３２】
表示機構５は、主に表示部２０と、運針機構４０と、方向表示部３０と、切替機構５０と、を備えている。
表示部２０は、レトログラード表示領域２１を指示部６が連続的に往復移動して、時間情報を表示するものである。
表示部２０のレトログラード表示領域２１は、平面視で時計１の中心軸Ｏよりも目盛り２ａの６時側に位置する運針軸Ｑを中心とし、目盛り２ａの４時側と８時側との間に広がる扇形状に形成されている。レトログラード表示領域２１の中心角度は、例えば約９０°となっている。以下では、レトログラード表示領域２１における目盛り２ａの８時側に対応した端部を一端２２とし、目盛り２ａの４時側に対応した端部を他端２３として説明する。
【００３３】
図３に示すように、指示部６は、指示部軸部材８１を介して、地板１２と表示受１４とにより運針軸Ｑ周りに回動可能に支持されている。
図１に示すように、指示部６は、レトログラード表示領域２１を一端２２から他端２３へ連続的に移動したあと、レトログラード表示領域２１を他端２３から一端２２へ連続的に移動する動作を繰り返すことにより、レトログラード表示領域２１の一端２２と他端２３との間を往復移動する。
【００３４】
本実施形態の指示部６は、０時から２４時の時を示すいわゆる２４時針であって、レトログラード表示領域２１を２４時間で１往復する（すなわち、往復運動しながら、時間経過に応じた情報を表示する）。なお、図１は、指示部６がレトログラード表示領域２１を一端２２から他端２３への往路を移動している状態を図示しており、図２は、指示部６がレトログラード表示領域２１を他端２３から一端２２への復路を移動している状態を図示している。
【００３５】
レトログラード表示領域２１には、運針軸Ｑを中心とした時計回り方向に沿うように、一端２２から他端２３に向かって、０時、３時、６時、９時および１２時の時を表す第一文字群２５が付されている。第一文字群２５は、指示部６がレトログラード表示領域２１を一端２２から他端２３に向かって移動する際に、指示部６によって指示される文字である。
また、９時、６時、３時および０時の時を表す第一文字群２５に対応した位置であって、第一文字群２５よりもレトログラード表示領域２１の径方向における外側には、運針軸Ｑを中心とした反時計回り方向に沿うように、他端２３から一端２２に向かって、１５時、１８時、２１時および２４時の時を表す第二文字群２６が付されている。第二文字群２６は、指示部６がレトログラード表示領域２１を他端２３から一端２２に向かって移動する際に、指示部６によって指示される文字である。
【００３６】
レトログラード表示領域２１の径方向における第一文字群２５と第二文字群２６との間には、目盛り２９がレトログラード表示領域２１の周方向にわたって複数（本実施形態では１３本）付されている。隣り合う目盛り２９の間隔は、レトログラード表示領域２１の周方向にわたって等間隔となっている。目盛り２９は、指示部６が一端２２と他端２３との間を往復移動するとき、１時間の時間経過を示す。
【００３７】
図４は、指示部６がレトログラード表示領域２１の一端２２から他端２３へ向かって移動を開始したときの表示機構５の説明図である。
図５は、指示部６がレトログラード表示領域２１の一端２２から他端２３へ向かって移動し、他端２３に到達したときの表示機構５の説明図である。
図６は、指示部６がレトログラード表示領域２１の他端２３から一端２２へ向かって移動を開始したときの表示機構５の説明図である。
図７は、指示部６がレトログラード表示領域２１の他端２３から一端２２へ向かって移動し、一端２２に到達したときの表示機構５の説明図である。
なお、図４から図７においては、文字板２および表示受１４を透過して図示しており、開口部１５、指示部６、および表示部２０のレトログラード表示領域２１をそれぞれ二点鎖線で図示している。
また、時計１の文字板２を平面視したときの１２時−６時の方向をＸ方向とし、１２時側を＋Ｘ側とし、６時側を−Ｘ側と定義する。また、時計１の文字板２を平面視したときの３時−９時の方向をＹ方向とし、３時側を＋Ｙ側とし、９時側を−Ｙ側と定義する。以下では、必要に応じてＸ−Ｙ直交座標系を用いて説明する。
【００３８】
（運針機構）
図４に示すように、運針機構４０は、主に２４時間車４１と、ハートカム４２と、伝達レバー４３と、運針レバー４５と、２４時間表示車４７と、により構成されている。
図３に示すように、２４時間車４１は、時計１の中心軸Ｏよりも−Ｘ側に設けられた軸部材４１ａを介して、地板１２により２４時間車４１の中心軸周りに回転自在に支持されている。
２４時間車４１は、例えば筒車１８と一体的に設けられた中間車１９と噛合している。中間車１９は、筒車１８の回転速度を１／２倍に減速しつつ、筒車１８の駆動力を２４時間車４１に伝達している。これにより、２４時間車４１は、筒車１８の１／２倍の回転速度、すなわち２４時間に１回転の回転速度で回転する。
【００３９】
図４に示すように、ハートカム４２は、凸曲面状の２つのカム面により、軸方向から見てハート形状に形成されている。ハートカム４２は、２４時間車４１が取り付けられた軸部材４１ａに取り付けられている。ハートカム４２の２つのカム面の境界部分のうち、一方の境界部分は、軸部材４１ａの中心軸（すなわち２４時間車４１の中心軸）からの離間距離が最も小さい最内部４２ａとなっており、他方の境界部分は、軸部材４１ａの中心軸からの離間距離が最も大きい最外部４２ｂとなっている
【００４０】
伝達レバー４３は、長尺板状の部材であって、レバー軸部材４４からハートカム４２側に向かって延びるように設けられている。
伝達レバー４３の基端部は、２４時間車４１の径方向の外側であって、（−Ｘ，−Ｙ）領域に設けられたレバー軸部材４４に対して例えば外嵌固定されており、レバー軸部材４４を中心として回動可能に軸支されている。
伝達レバー４３の先端部は、（−Ｘ，＋Ｙ）領域に配置されている。伝達レバー４３の先端部は、ハートカム４２側に向かって屈曲しており、ハートカム４２のカム面に摺接する摺接部４３ａとなっている。
【００４１】
運針レバー４５は、平面視円形状のベース部４５ａと、ベース部４５ａの径方向の外側に向かって延びたあとＵ字状に湾曲形成されたバネ部４５ｂと、ベース部４５ａを挟んでバネ部４５ｂとは反対側に設けられた回動歯部４５ｃと、を備えている。
運針レバー４５のベース部４５ａは、レバー軸部材４４に対して例えば外嵌固定されており、レバー軸部材４４を中心として伝達レバー４３と連動するように回動可能に軸支されている。
【００４２】
運針レバー４５のバネ部４５ｂは、レバー軸部材４４を中心とした反時計回り方向に、運針レバー４５および伝達レバー４３を付勢している。これにより、伝達レバー４３の摺接部４３ａは、常にハートカム４２のカム面に摺接しつつ、２４時間車４１およびハートカム４２の回転にともなって２４時間車４１の軸部材４１ａに対して接近離反する。そして、伝達レバー４３および運針レバー４５は、レバー軸部材４４を中心として回動する。
運針レバー４５の回動歯部４５ｃは、平面視で所定の中心角度で広がる扇形状に形成されており、２４時間表示車４７と噛合している。
２４時間表示車４７は、指示部軸部材８１に対して例えば外嵌固定されており、指示部６と連動するように回動可能に軸支されている。
【００４３】
上述のように構成された運針機構４０は、次のように動作する。
図４に示すように、指示部６の移動開始時において、指示部６は、レトログラード表示領域２１の一端２２に位置している。このとき、伝達レバー４３の摺接部４３ａは、ハートカム４２の最外部４２ｂと当接するとともに、軸部材４１ａの中心軸から最も離間した位置に配置される。
【００４４】
続いて、時間の経過にともなって、筒車１８および中間車１９が時計回り方向に回転すると、中間車１９と噛合する２４時間車４１およびハートカム４２が反時計回り方向に回転する。このとき、伝達レバー４３の摺接部４３ａは、ハートカム４２のカム面に摺接しつつ、ハートカム４２の回転にともなって２４時間車４１の軸部材４１ａに対して接近するように移動する。これにより、伝達レバー４３および運針レバー４５は、レバー軸部材４４を中心として、反時計回り方向に回動する。
また、運針レバー４５の回動歯部４５ｃと噛合する２４時間表示車４７および２４時間表示車４７と連動する指示部６は、指示部軸部材８１を中心として時計回り方向に回動する。これにより、指示部６は、レトログラード表示領域２１の一端２２から他端２３に向かって移動する。
【００４５】
図５に示すように、指示部６の移動開始から１２時間が経過すると、ハートカム４２が１８０°回転する。このとき、伝達レバー４３の摺接部４３ａは、ハートカム４２の最内部４２ａと当接するとともに、軸部材４１ａの中心軸から最も近接した位置に配置される。そして、指示部６は、レトログラード表示領域２１の他端２３に位置する。
【００４６】
続いて、図６に示すように、時間の経過にともなって、さらにハートカム４２が反時計回り方向に回転すると、伝達レバー４３の摺接部４３ａは、ハートカム４２のカム面に摺接しつつ、ハートカム４２の回転にともなって２４時間車４１の軸部材４１ａから離反するように移動する。
これにより、伝達レバー４３および運針レバー４５は、レバー軸部材４４を中心として、時計回り方向に回動する。また、運針レバー４５の回動歯部４５ｃと噛合する２４時間表示車４７および２４時間表示車４７と連動する指示部６は、指示部軸部材８１を中心として反時計回り方向に回動する。これにより、指示部６は、レトログラード表示領域２１の他端２３から一端２２へ向かって移動する。
【００４７】
図７に示すように、指示部６がレトログラード表示領域２１の他端２３から一端２２へ向かって移動を開始してから１２時間（すなわち指示部６の移動開始から２４時間）が経過すると、ハートカム４２がさらに１８０°回転する。このとき、伝達レバー４３の摺接部４３ａは、ハートカム４２の最外部４２ｂと当接するとともに、軸部材４１ａの中心軸から最も離間した位置に配置される。そして、指示部６は、レトログラード表示領域２１の一端２２に位置する。
以上で、２４時間を周期とする指示部６の運針が完了する。
【００４８】
（方向表示部）
図４から図７に示すように、方向表示部３０は、指示部６がレトログラード表示領域２１の一端２２から他端２３へ、またはレトログラード表示領域２１の他端２３から一端２２へ向かう際の移動方向を示すものであり、例えば後述の切替機構５０を構成する方向表示車６６の円板部６８の表面に設けられている。なお、方向表示車６６の詳細については後述する。
方向表示部３０は、開口部１５に対応した領域を除き、文字板２によって覆われる。方向表示部３０は、レトログラード表示領域２１の一端２２から他端２３へ向かう方向を示す第一マーク３１と、レトログラード表示領域２１の他端２３から一端２２へ向かう方向を示す第二マーク３２と、をそれぞれ複数（本実施形態ではそれぞれ３つずつ）備えている。
【００４９】
第一マーク３１および第二マーク３２は、方向表示部３０の周方向において、それぞれ等間隔（本実施形態では６０°ピッチ）かつ交互に付されている。第一マーク３１および第二マーク３２は、方向表示部３０が後述の切替機構５０によって、回転角度が所定角度（本実施形態では６０°ステップ）に規制された状態で回転したとき、文字板２の開口部
１５から交互に露出可能なように、文字板２の開口部１５に対応した位置に付されている。
【００５０】
図１に示すように、第一マーク３１は、指示部６が一端２２から他端２３に向かって移動するときの移動方向を示すものであり、例えば時計回り方向を指向する矢印として付されている。
また、図２に示すように、第二マーク３２は、指示部６が他端２３から一端２２に向かって移動するときの移動方向を示すものであり、例えば反時計回り方向を指向する矢印として付されている。
【００５１】
（切替機構）
図８は、図１におけるＢ−Ｂ線に沿った断面図である。なお、図８においては、下側がムーブメント１０の表側となっており、上側がムーブメント１０の裏側となっている。
図９は、切替機構５０の拡大図である。なお、図９においては、文字板２および方向表示部３０を透過するとともに、文字板２、開口部１５、方向表示部３０を二点鎖線で図示している。また、方向表示部３０に付された第一マーク３１および第二マーク３２のうち、文字板２の開口部１５から露出している部分のみを二点鎖線で図示している。
図８および図９に示すように、切替機構５０は、表示中間車５１と、表示作動カム５５と、表示作動爪車６１と、方向表示車６６と、表示作動レバー７１と、表示ジャンパ７６と、を備えている。以下に、各部品について詳細に説明する。
【００５２】
表示中間車５１は、地板１２に打設された表示作動軸部材５４に対して、第一軸Ｐ１周りに回転可能に設けられている。表示中間車５１は、２４時間車４１と噛合しており、２４時間車４１の回転速度を２倍に増速しつつ２４時間車４１とは逆方向に回転する。すなわち、表示中間車５１は、２４時間車４１の２倍の回転速度、すなわち１２時間に１回転の回転速度で時計回り方向に回転する。
表示中間車５１には、平面視で第一軸Ｐ１を中心とし、表示中間車５１の径方向に幅を有する弧状の溝部５２が設けられている。弧状に形成された溝部５２の中心角は、例えば９０°程度となっている。
【００５３】
表示作動カム５５は、全体として扇形状に形成された板状部材であり、表示中間車５１の外形よりも小さくなっている。表示作動カム５５は、弧状に形成された表示作動カム面５５ａと、後述の表示作動レバー７１により押圧される押圧面５５ｂと、表示作動レバー７１の先端部７２ｂに入り込む膨出部５５ｃと、を備えている。表示作動カム５５は、表示中間車５１の中心軸である第一軸Ｐ１と同軸に設けられており、表示中間車５１の裏側（図８における上側）に積層されている。表示作動カム５５は、表示作動軸部材５４に対して遊挿されている。
表示作動カム面５５ａは、時計回り方向に漸次半径が縮径するように形成されている。押圧面５５ｂは、表示作動カム面５５ａの一端部において、反時計回り方向に面するように設けられている。膨出部５５ｃは、第一軸Ｐ１を挟んで表示作動カム面５５ａとは径方向の反対側に設けられており、径方向の外側に膨出している。
【００５４】
表示作動カム５５は、軸方向に沿ってムーブメント１０の表側（図８における下側）に突出する第一ピン５６と、軸方向に沿ってムーブメント１０の裏側（図８における上側）に突出する第二ピン５７と、を備えている。
第一ピン５６は、溝部５２に挿入可能な位置に形成されている。第一ピン５６は、直径が溝部５２の幅よりも小さくなっており、溝部５２内に遊挿されるとともに、溝部５２内を周方向に沿って移動可能となっている。
【００５５】
第一ピン５６は、表示中間車５１が時計回り方向に回転することにより、溝部５２の反時計回り方向側の端部に突き当たる。これにより、表示作動カム５５は、第一ピン５６が溝部５２の端部に突き当たった状態で表示中間車５１が時計回り方向に回転することにより、表示中間車５１とともに時計回り方向に回転可能となっている。
また、後述の表示作動レバー７１により表示作動カム５５の押圧面５５ｂが押圧されると、第一ピン５６は、表示中間車５１の回転速度よりも速い速度で、溝部５２内を時計回り方向に移動する。これにより、表示作動カム５５は、溝部５２の形成範囲に対応した所定角度（本実施形態では９０°）だけ、表示中間車５１に対して時計回り方向に回転可能となっている。
第二ピン５７は、平面視で第一ピン５６よりも表示作動カム５５の径方向の外側に設けられている。第二ピン５７は、表示作動爪車６１と係合している。
【００５６】
表示作動爪車６１は、円板状の部材であり、表示中間車５１の外形よりも小さくなっている。表示作動爪車６１は、表示中間車５１の中心軸である第一軸Ｐ１と同軸に設けられており、表示作動カム５５の裏側（図８における上側）に積層されている。表示作動爪車６１は、表示作動軸部材５４に対して遊挿されている。
【００５７】
表示作動爪車６１は、切欠部６２と、表示作動爪部６３と、を有している。
切欠部６２は、表示作動爪車６１の外周縁部の一部分が、表示作動爪車６１の径方向の内側に凹むことにより形成されている。切欠部６２には、表示作動カム５５の第二ピン５７が係合される。これにより、表示作動爪車６１は、表示作動カム５５と連結されて、表示作動カム５５とともに表示中間車５１に対して時計回り方向に回転可能となっている。
表示作動爪部６３は、表示作動爪車６１の外周縁部の一部分が、表示作動爪車６１の径方向の外側に突出することにより形成されている。表示作動爪部６３は、後述の方向表示車６６と係合することにより、方向表示車６６を回転させている。
【００５８】
方向表示車６６は、地板１２と表示受１４とにより第二軸Ｐ２を中心として軸支されており、歯車部６７と、円板部６８と、を有している。
歯車部６７は、方向表示車６６の径方向に突出する歯部６７ａを複数有している。歯車部６７の歯部６７ａは、表示作動爪車６１の表示作動爪部６３と係合可能となっている。歯車部６７の歯部６７ａは、第一マーク３１および第二マーク３２（図４参照）のピッチと対応するように、周方向に所定ピッチ（本実施形態では６０°ピッチ）で複数（本実施形態では６個）形成されている。
円板部６８は、歯車部６７よりも大形に形成されており、歯車部６７の裏側に積層配置されている。円板部６８は、その表面に例えば不滅インキ等による印刷やレーザマーキング等によって第一マーク３１および第二マーク３２（図４参照）が付されることにより、方向表示部３０を構成している。
【００５９】
表示作動レバー７１は、全体としてＬ字状に形成されており、表示作動カム５５に向かって延びる表示作動レバー本体７２と、表示作動レバー本体７２に対して交差する方向に向かって延びたあとＵ字状に湾曲形成されたバネ部７４と、を備えている。
表示作動レバー本体７２の基端部７２ａは、地板１２と表示受１４とにより軸支されて回動可能となっている。
表示作動レバー本体７２の先端部７２ｂは、表示作動カム５５の表示作動カム面５５ａおよび押圧面５５ｂに接触するとともに、表示作動レバー７１の回動にともない、表示作動カム５５の回転中心である第一軸Ｐ１に対して接近離反する。
バネ部７４は、表示作動レバー本体７２の先端部７２ｂを表示作動カム５５に向かって付勢している。これにより、表示作動レバー本体７２の先端部７２ｂは、表示作動カム５５が回転しているときに、表示作動カム５５に摺接する。
【００６０】
ここで、表示作動レバー本体７２の先端部７２ｂには、表示作動カム５５に向かって突出する第一凸部７３ａと、第一凸部７３ａよりも表示作動レバー本体７２の基端側に設けられた第二凸部７３ｂと、が形成されている。表示作動レバー本体７２の先端部７２ｂの第二凸部７３ｂは、表示作動カム５５が時計回り方向に回転することにより、表示作動カム面５５ａを摺接する。そして、表示作動レバー本体７２の先端部７２ｂの第二凸部７３ｂは、表示作動カム５５の押圧面５５ｂに到達した時に、バネ部７４の付勢力によって押圧面５５ｂを押圧する。これにより、表示作動カム５５および表示作動カム５５と連結された表示作動爪車６１は、溝部５２の形成範囲に対応した所定角度（本実施形態では９０°）だけ、表示中間車５１に対して時計回り方向に回転することができる。
また、表示作動カム５５および表示作動爪車６１は、表示作動カム５５により押圧されて所定角度回転した後、表示作動カム５５の膨出部５５ｃが表示作動レバー本体７２の第一凸部７３ａと第二凸部７３ｂとの間に入り込み、一時的に保持されるようになっている。
【００６１】
図９に示すように、表示ジャンパ７６は、方向表示車６６の歯車部６７に向かって延びる表示ジャンパ本体７７と、方向表示車６６の歯車部６７とは反対側に向かって延びたあとＵ字状に湾曲形成されたバネ部７９と、を備えている。
表示ジャンパ本体７７の基端部７７ａは、地板１２と表示受１４とにより軸支されて回動可能となっている。
表示ジャンパ本体７７の先端部７７ｂは、方向表示車６６の歯車部６７に向かって突出する係合凸部７８を有している。
【００６２】
バネ部７９は、表示ジャンパ本体７７の先端部７７ｂを方向表示車６６の歯車部６７に向かって付勢している。これにより、表示ジャンパ本体７７の先端部７７ｂの係合凸部７８は、方向表示車６６の複数の歯部６７ａの間に入り込んで係合する。したがって、方向表示車６６は、表示作動爪車６１の表示作動爪部６３が係合して反時計回り方向に回転する時に、表示ジャンパ７６によって回転角度が所定角度（本実施形態では、歯車部６７の歯部６７ａのピッチと等しい６０°）に規制される。
【００６３】
ここで、表示ジャンパ７６のバネ部７９による付勢力は、表示作動レバー７１のバネ部７４による付勢力よりも十分に小さくなっている。これにより、表示作動レバー７１は、表示作動カム５５を押圧して方向表示車６６を回転させるときに、表示ジャンパ７６の付勢力に抗して表示ジャンパ７６と方向表示車６６の歯車部６７との係合を解除することができる。したがって、方向表示車６６は、回転角度が所定角度に規制された状態で反時計回り方向に回転することができる。
【００６４】
（作用）
図１０から図１３は、切替機構５０の動作説明図である。なお、図１０から図１３においては、図９と同様に、文字板２および方向表示部３０を透過するとともに、文字板２、開口部１５および方向表示部３０を二点鎖線で図示している。また、方向表示部３０に付された第一マーク３１および第二マーク３２のうち、文字板２の開口部１５から露出している部分のみを二点鎖線で図示している。
続いて、上述のように形成された切替機構５０の動作について、各図面を用いて説明する。
【００６５】
本実施形態の切替機構５０は、指示部６の移動方向の切り替わりに対応して、第一マーク３１と第二マーク３２とを切り替える。以下では、図１に示すように指示部６がレトログラード表示領域２１の一端２２から他端２３へ向かって移動し、図５に示すように他端２３に到達した後、図６に示すように指示部６がレトログラード表示領域２１の他端２３から一端２２へ向かって移動を開始したときの、切替機構５０の一連の動作について説明する。
【００６６】
指示部６がレトログラード表示領域２１の一端２２から他端２３へ向かって移動するとき、文字板２の開口部１５からは第一マーク３１が露出している（図１参照）。また、図９に示すように、表示作動レバー７１の先端部７２ｂは、表示中間車５１とともに時計回り方向に回転する表示作動カム５５に対して摺接する。なお、このとき、方向表示車６６は、表示ジャンパ７６の係合凸部７８が方向表示車６６の歯車部６７に係合しており、回転が規制された状態となっている。
【００６７】
続いて、時間の経過にともなって表示中間車５１および表示作動カム５５がさらに時計回り方向に回転すると、表示作動レバー７１の先端部７２ｂの第二凸部７３ｂは、表示作動カム５５の押圧面５５ｂに到達する。
【００６８】
続いて、図１０に示すように、表示作動レバー７１は、バネ部７４の付勢力により表示作動カム５５の押圧面５５ｂを押圧する。これにより、表示作動カム５５および表示作動爪車６１は、表示中間車５１よりも速い速度で時計回り方向に回転する。その後、表示作動爪車６１の表示作動爪部６３は、方向表示車６６の歯車部６７に形成された歯部６７ａに係合する。
【００６９】
続いて、図１１に示すように、表示作動カム５５は、表示作動レバー７１のバネ部７４の付勢力により、表示中間車５１に対してさらに時計回り方向に回転する。ここで、表示ジャンパ７６のバネ部７９による付勢力は、表示作動レバー７１のバネ部７４による付勢力よりも十分に小さくなっている。したがって、表示作動カム５５は、表示作動レバー７１は、表示作動レバー７１のバネ部７４の付勢力により、表示ジャンパ７６の付勢力に抗して表示ジャンパ７６と方向表示車６６の歯車部６７との係合を解除させつつ、方向表示車６６を反時計周り方向に回転させる。
【００７０】
続いて、方向表示車６６の歯部６７ａが表示ジャンパ７６の係合凸部７８の頂部に到達すると（図１１参照）、表示ジャンパ７６の付勢力によって方向表示車６６の歯部６７ａが係合凸部７８の斜面に沿って瞬時に移動するとともに、方向表示車６６が第二軸Ｐ２周りに反時計周り方向にさらに回転する。
【００７１】
そして、図１２に示すように、方向表示車６６は、図９に示す状態から所定角度（本実施形態では６０°）だけ反時計回り方向に瞬時に回転するとともに、第二マーク３２が文字板２の開口部１５から露出する。このとき、表示作動カム５５および方向表示車６６は、第一ピン５６が表示中間車５１の溝部５２における時計回り方向側の端部に当接するとともに、表示作動レバー７１の先端部７２ｂに膨出部５５ｃが入り込むことにより、所定位置で保持される。
また、方向表示車６６は、第二マーク３２を文字板２の開口部１５から露出させた状態で、表示ジャンパ７６により所定位置に保持される。以上で、切替機構５０による第一マーク３１と第二マーク３２との切替動作が終了する。
【００７２】
なお、第一マーク３１と第二マーク３２との切替動作が終了した後、時間の経過とともに表示中間車５１がさらに時計周り方向に回転すると、表示作動カム５５および方向表示車６６が表示作動レバー７１により保持された状態で、表示中間車５１のみが回転する。そして、図１３に示すように、表示作動カム５５および方向表示車６６は、表示中間車５１の溝部５２における反時計回り方向側の端部に第一ピン５６が突き当たると、表示中間車５１とともに再び時計回り方向に回転する。これにより、表示作動レバー７１の先端部７２ｂは、表示中間車５１とともに時計回り方向に回転する表示作動カム５５に対して再び摺接する。
以降、上述の動作が繰り返されることにより、表示機構５は、方向表示部３０により指示部６の移動方向を示すとともに、切替機構５０により指示部６の移動方向の切り替わりに対応して、第一マーク３１と第二マーク３２とを切り替えることができる。
【００７３】
第一実施形態によれば、連続的に指示部６を往復移動させることができるので、時間情報の表示の多様化に対応できる。また、指示部６の移動方向の情報を示す方向表示部３０を備えているので、レトログラード表示領域２１の一端２２と他端２３との間を指示部６が往復移動している場合であっても、指示部６の移動方向を容易に判別することができる。さらに、指示部６の移動方向の切り替わりに対応して、第一マーク３１と第二マーク３２とを切り替える切替機構５０を備えているので、指示部６の移動方向を正しく判別することができる。
【００７４】
また、表示中間車５１と、表示作動カム５５と、表示作動爪部６３と、方向表示車６６と、表示作動レバー７１と、表示ジャンパ７６と、による簡単な構成で、指示部６の移動方向を容易かつ正しく方向表示部３０に表示できる。したがって、小型かつ低コストな表示機構５を提供できる。また、表示作動レバー７１により表示作動カム５５が押圧されて、表示作動カム５５および表示作動爪部６３が表示中間車５１に対して回転することにより、方向表示車６６が所定角度だけ回転するので、指示部６の移動方向の切り替わりに対応して、指示部６の移動方向を正しく表示できる。
【００７５】
また、表示作動爪部６３は、表示中間車５１および表示作動カム５５と同軸に設けられた表示作動爪車６１に形成されているので、表示中間車５１、表示作動カム５５および表示作動爪部６３を有する表示作動爪車６１をそれぞれ別部品として形成できる。したがって、簡単かつ低コストに表示中間車５１、表示作動カム５５および表示作動爪車６１を形成できる。
【００７６】
また、指示部６は、レトログラード表示領域２１の往路および復路をそれぞれ１２時間で移動するように構成されているので、往路および復路のいずれか一方で１２時から２４時の情報を表示し、往路および復路のいずれか他方で１２時から２４時の時の情報を表示する表示機構５とすることができる。
【００７７】
また、第一マーク３１および第二マーク３２は、指示部６の移動方向を指向する矢印であるので、一目で指示部６の移動方向を判別することができる。
【００７８】
また、連続的に指示部６を往復移動できるとともに、指示部６の移動方向を容易に判別することができる上述の表示機構５を備えているので、意匠性に優れたムーブメント１０および時計１を提供できる。
【００７９】
（第一施形態の各変形例）
図１４は、第一実施形態の第一変形例に係る時計１の説明図である。
図１５は、第一実施形態の第二変形例に係る時計１の説明図である。
続いて、第一実施形態の各変形例について説明する。
第一実施形態の時計１は、第一マーク３１および第二マーク３２が指示部６の移動方向を指向する矢印であった。これに対して、第一マーク３１および第二マーク３２は、第一実施形態に限定されない。なお、第一実施形態と同様の構成については、説明を省略する。
【００８０】
図１４に示す第一実施形態の第一変形例のように、第一マーク３１は、「午前」を示す「ＡＭ」という文字であり、第二マーク（図１４において不図示）は、「午後」を示す「ＰＭ」という文字であってもよい。
第一実施形態の第一変形例によれば、一目で午前であるか午後であるかを把握できるとともに、指示部６の移動方向を容易に判別することができる。
【００８１】
また、図１５に示す第一実施形態の第二変形例ように、第一マーク３１は、第一色（例えば赤色）に着色され、第二マーク（図１５において不図示）は、第二色（例えば青色）に着色されていてもよい。さらに、表示部２０に付された時間情報を示す文字群のうち、指示部６が往路で指示する第一文字群２５に、第一マーク３１と同色の第一色が着色され、指示部６が復路で指示する第二文字群２６には、第二マークと同色の第二色が着色されていてもよい。
第一実施形態の第二変形例によれば、一目で指示部６の移動方向を判別することができるとともに、意匠性に優れた表示部２０とすることができる。
【００８２】
（第二実施形態）
図１６は、第二実施形態に係る時計１の外観図である。
図１７は、第二実施形態に係る時計１の表示機構５の説明図である。
第一実施形態では、文字板２に開口部１５を一箇所設け、開口部１５から第一マーク３１および第二マーク３２を表示していた（図１および図２参照）。
これに対して、第二実施形態では、図１６および図１７に示すように、文字板２に二箇所の開口部１５，１６（第一の開口部１５および第二の開口部１６）を設けるとともに、それぞれの開口部１５，１６から、第一マーク３１および第二マーク３２（図１７参照）を表示している点で、第一実施形態とは異なっている。なお、第一実施形態と同様の構成については、説明を省略する。
【００８３】
図１６に示すように、文字板２には、第一の開口部１５および第二の開口部１６が形成されている。第一の開口部１５および第二の開口部１６は、例えばレトログラード表示領域２１を挟んで両側に形成されている。
図１７に示すように、時計１は、二個の切替機構５０（第一切替機構５０Ａおよび第二切替機構５０Ｂ）を備えている。
第一切替機構５０Ａは、第一の開口部１５から表示される第一マーク３１と第二マーク３２とを切り替えている。
第二切替機構５０Ｂは、第二の開口部１６から表示される第一マーク３１と第二マーク３２とを切り替えている。
第二切替機構５０Ｂの表示中間車５１Ｂと、２４時間車４１との間に、２４時間中間車４６を介在させてもよい。これにより、第一切替機構５０Ａの方向表示部３０（すなわち方向表示車６６）の回転方向と、第二切替機構５０Ｂの方向表示部３０（すなわち方向表示車６６）の回転方向とを異ならせることができる。
第二実施形態によれば、一目で指示部６の移動方向を判別することができるとともに、意匠性に優れた表示部２０とすることができる。
【００８４】
なお、本発明は、図面を参照して説明した上述の各実施形態に限定されるものではなく、その技術的範囲において様々な変形例が考えられる。
【００８５】
図１８は、他の実施形態に係る時計１の説明図である。
例えば、図１８に示すように、文字板２に第一の開口部１５および第二の開口部１６を設けるとともに、第一の開口部１５から第一マーク３１を表示させ（図１８（ａ）参照）、第二の開口部１６から第二マーク３２を表示させる（図１８（ｂ）参照）構成としてもよい。
【００８６】
図１９は、他の実施形態に係る時計１の説明図である。
また、例えば、図１９に示すように、文字板２に第一の開口部１５および第二の開口部１６を設けるとともに、第一の開口部１５および第二の開口部１６からそれぞれ異なる第一マーク３１と第二マーク３２とを表示させる構成としてもよい。より具体的には、例えば図１９（ａ）に示すように、指示部６がレトログラード表示領域２１の一端２２から他端２３へ移動するときには、第一マーク３１として、第一の開口部１５に矢印からなる主第一マーク３１Ａを表示させるとともに、第二の開口部１６に第一色からなる副第一マーク３１Ｂを表示させる構成としてもよい。さらに、図１９（ｂ）に示すように、指示部６がレトログラード表示領域２１の他端２３から一端２２へ移動するときには、第二マーク３２として、第一の開口部１５に第二色からなる副第二マーク３２Ｂを表示させるとともに、第二の開口部１６に矢印からなる主第二マーク３２Ａ表示させる構成としてもよい。
【００８７】
また、各実施形態では、表示中間車５１と表示作動爪車６１とは、それぞれ別体に形成されていたが、一体形成してもよい。
また、第一マーク３１および第二マーク３２の態様は、各実施形態および各変形例に限定されない。
【００８８】
その他、本発明の趣旨を逸脱しない範囲で、上記した実施の形態における構成要素を周知の構成要素に置き換えることは適宜可能である。
【符号の説明】
【００８９】
１・・・時計  ５・・・表示機構  ６・・・指示部  １０・・・ムーブメント（時計用ムーブメント）  ２０・・・表示部  ２１・・・レトログラード表示領域（所定領域）  ２２・・・一端  ２３・・・他端  ２５・・・第一文字群  ２６・・・第二文字群  ３０・・・方向表示部  ３１，３１Ａ，３１Ｂ・・・第一マーク  ３２，３２Ａ，３２Ｂ・・・第二マーク  ５０・・・切替機構  ５１・・・表示中間車  ５５・・・表示作動カム  ６１・・・表示作動爪車  ６３・・・表示作動爪部  ６６・・・方向表示車  ６７ａ・・・歯部  ６８・・・円板部  ７１・・・表示作動レバー  ７６・・・表示ジャンパ  Ｐ１・・・第一軸  Ｐ２・・・第二軸
【図１】
2015152365.tif 000003
【図２】
2015152365.tif 000004
【図３】
2015152365.tif 000005
【図４】
2015152365.tif 000006
【図５】
2015152365.tif 000007
【図６】
2015152365.tif 000008
【図７】
2015152365.tif 000009
【図８】
2015152365.tif 000010
【図９】
2015152365.tif 000011
【図１０】
2015152365.tif 000012
【図１１】
2015152365.tif 000013
【図１２】
2015152365.tif 000014
【図１３】
2015152365.tif 000015
【図１４】
2015152365.tif 000016
【図１５】
2015152365.tif 000017
【図１６】
2015152365.tif 000018
【図１７】
2015152365.tif 000019
【図１８】
2015152365.tif 000020
【図１９】
2015152365.tif 000021